(57)【要約】【課題】自動二輪車、自転車その他の物を保管、運搬するための保管庫であって、簡易な手段により、保管・運搬物の盗難を防止した保管庫を提供する。【解決手段】側面板２枚、背面板1枚、底面板１枚、屋根板１枚および扉を、保管庫の内側となる位置から締結手段により組み立てることにより、外部からの解体ができない構造の保管庫とした。【選択図】  図２
2005090166.tif 000002
【特許請求の範囲】
【請求項１】
自動二輪車を収納したり物置として使用する保管庫であって、この保管庫は、側面板２枚、背面板1枚、底面板１枚、屋根板１枚および前面扉からなるボックス体を基本ユニットとし、この基本ユニットに対し、側面板２枚、底面板１枚および屋根板１枚からなる補助ユニットを継ぎ足すことで保管庫の奥行きを増加可能とされ、且つ前記各板保管庫の内側から締結手段により組み立てることにより、外部からの解体不可能とされていることを特徴とする保管庫。
【請求項２】
請求項１に記載の保管庫において、前記前面扉は、上下部２枚の扉に分離されていて、それぞれの扉は、外部から解体できないブラインドリベットにより、その開閉用蝶番部が取付けられていることを特徴とする保管庫。
【請求項３】
請求項２に記載の保管庫において、前記下部扉は、開扉時には、保管物の収納、取り出しを容易にすべく傾斜することを特徴とする保管庫。
【請求項４】
請求項２に記載の保管庫において、前記上部扉は、閉扉時には、下部扉の一部と重なり合う長さとし、上部扉のロックにより下部扉も同時にロックされる構造としたことを特徴とする保管庫。
【請求項５】
請求項４に記載の保管庫において、前記上部扉はガススプリングで支持され、開放状態の維持、閉鎖時の安全性を確保することを特徴とする保管庫。
【請求項６】
請求項１乃至請求項５に記載の保管庫において、前記底面板および前記下部扉の内側の少なくとも一方は、滑り止め防止機能を有する材料で構成され、搬入、搬出時の保管物の滑りを避けることを特徴とする保管庫。
【請求項７】
請求項１乃至請求項６に記載の保管庫において、前記保管物の固定用手段を保管庫内に設けたことを特徴とする保管庫。
【請求項８】
請求項７に記載の保管庫において、前記固定用手段が、複数のアイボルトと、このアイボルトと保管物とを緊縛する手段とからなり、前記アイボルトは、保管庫内面に着脱自在とされていることを特徴とする保管庫。
【請求項９】
請求項１乃至請求項８に記載の保管庫において、前記底面板は、保管庫を地面に固定しかつ水平を維持するための、アジャスターボルトまたはアンカーボルトを備えていることを特徴とする保管庫。
【請求項１０】
請求項１乃至請求項９に記載の保管庫において、前記保管庫内には、さらに、照明器具、換気孔、採光用窓、採光拡散用反射板、棚から選ばれる機能を備えていることを特徴とする保管庫。
【請求項１１】
請求項１０に記載の保管庫において、前記採光用窓は、前記側面板、背面板、または扉の上部であって、保管庫内において、前記底面板に形成した換気孔と対角となる位置を選定して設け、保管庫内全体の換気を有効にすることを特徴とする保管庫。
【請求項１２】
請求項１乃至請求項１１に記載の保管庫において、前記換気孔が底面板に形成され、保管庫内に入り込んだ雨水の排水口も兼ねることを特徴とする保管庫。
【発明の詳細な説明】
【技術分野】
【０００１】
本発明は、自動二輪車、自転車等の二輪車その他の物を保管、運搬するための保管庫であって、とくに、万全の盗難防止対策を施した保管庫に関する。
【背景技術】
【０００２】
自動二輪車や自転車等の二輪車は、従来、自動車に比較して小型かつ廉価であったため、保管場所についてはそれほど神経を使わず、自宅敷地内あるいは自宅周辺に放置しておくことが多かった。しかし、最近では、特に高級仕様の自動二輪車やマウンテンバイク等の自転車は盗難に合うことが多くなった。また、それ以外の価値ある保管物、例えば絵画、家電・ＯＡ製品についても、鍵の掛からない物置等に保管しておいて盗まれたり、運送時に荷台から持ち去られる等の事故も起きている。
【０００３】
このような状況を防止するため、特許文献１においては、内部に前輪止め、後輪止めを設け、盗難防止対策を施した二輪車用車庫が開示されている。
【特許文献１】特開２００３−８１１４８号（要約。第４図）
【発明の開示】
【発明が解決しようとする課題】
【０００４】
上述した特許文献１の盗難防止対策は、施錠と、車庫が破壊されようとするときの振動を感知する警報装置、および警備会社への自動通報手段等であり、施錠は当然としても、警報装置や自動通報装置の設置という大掛かりな対策が必要であった。また、特許文献１に開示される車庫にあっては、継ぎ足して奥行きを増やすことができないため、用途が限られてしまうという課題もある。
【０００５】
本発明の目的は、自動二輪車、自転車その他の物を保管、運搬するための保管庫であって、簡易な手段により、保管・運搬物の盗難を防止した保管庫を提供することにある。
【課題を解決するための手段】
【０００６】
本発明の保管庫は、自動二輪車用その他用途の保管庫であって、この保管庫は、側面板２枚、背面板1枚、底面板１枚、屋根板１枚および前面扉からなるボックス体を基本ユニットとし、この基本ユニットに対し、側面板２枚、底面板１枚および屋根板１枚からなる補助ユニットを継ぎ足すことで保管庫の奥行きを増加可能とされ、且つ前記各板保管庫の内側から締結手段により組み立てることにより、外部からの解体不可能とした。
【０００７】
前記扉は、上部下部２枚の扉に分離されていて、それぞれの扉は、外部から解体できないブラインドリベットにより、開閉用蝶番部を取付ける。また、２枚の扉のうち下部の扉は、開扉時には、保管物を容易に取り出せる傾斜を形成する。すなわち、下部扉が開かれると、保管庫底面板は地面よりも高いため、スロープができて、自動二輪車等を楽に収納したり取り出すことができる。
【０００８】
さらに、前記上部扉は、閉扉時には、下部扉の一部と重なり合う長さとし、上部扉のロックにより、この上部扉に重なった下部扉も同時にロックされる構造とすることが可能である。また、前記上部扉をガススプリングで支持すれば、開放状態の維持、閉鎖時の安全性を確保することができる。すなわち、開放時にいきなり上部扉が落ちてきたり、閉鎖作業中に急激に閉まる心配がない。
【０００９】
前記底面板および前記下部扉の内側の少なくとも一方は、ドットの形成された鋼板や縞鋼板等の滑り止め防止機能を有する材料で構成し、搬入、搬出時の保管物の滑りを避けることが好ましい。
【００１０】
本発明においては、前記保管物の固定用手段を保管庫内に設けることが好ましい。前記固定用手段としては、複数のアイボルトと、このアイボルトと保管物とを緊縛する手段とからなり、前記アイボルトは、保管庫内面に着脱自在とされ、必要なときのみ保管庫内面から突出せしめることができる。
【００１１】
本発明の保管庫の底面板は、保管庫を地面に固定しかつ水平を維持するための、アジャスターボルトまたはアンカーボルトを備えていることが好ましい。また、保管庫内には、さらに、照明器具、換気孔、採光用窓、採光拡散用反射板、棚から選ばれる各種機能を備えることが有用である。前記換気孔については底面板に形成し、保管庫内に入り込んだ雨水の排水口も兼ねるものであることが好ましい。また前記採光用窓については、前記側面板、背面板、または扉の上部であって、保管庫内において、前記底面板に形成した換気孔と対角となる位置を選定して設け、採光とともに、保管庫内全体の換気を有効にすることが望ましい。
【発明の効果】
【００１２】
本発明に係る保管庫は、保管庫内側からボルトナットで組み立ててあるため外部から解体される心配がない。したがって高級な自動二輪車等の保管、輸送に好適である。また、収納する物あるいは庭などの広さに応じて任意に奥行きを調製することができ、更に、扉についてもブラインドリベットにより蝶番を留めれば、扉側からの解体も防止することができる。
【発明を実施するための最良の形態】
【００１３】
以下に本発明の実施の形態を図面に基づいて説明する。図１は本発明に係る保管庫の外観の一例を示す斜視図、図２は同保管庫の扉の開放状態の一例を示す斜視図、図３は同保管庫を斜め上方から見た斜視図、図４は同保管庫の内部の様子を示す下部半分の概要図である。
【００１４】
図１〜図４に示すように、保管庫１は、側面板２、背面板３、底面板４、屋根板５、上部扉６および下部扉７から構成されている。保管庫１全体を構成する素材としては、外部からの破壊行為を防御できるものであればどのようなものでも制限はないが、例えば溶融亜鉛鋼板、アルミ亜鉛鋼板、あるいはこれらの塗装鋼板を使用することができる。
【００１５】
側面板２、背面板３、底面板４および屋根板５は、内側に折り曲げたフランジ部８を突き合わせて互いに保管庫１内の内側よりボルトナットで締結することにより、保管庫１の外部からは解体できない構造としている。
【００１６】
なお、本例では、側面板２が２ａ、２ａ’、２ａ”と２ｂ、２ｂ’、２ｂ”の３対、床面版４が４ａ、４ａ’、４ａ”の３枚、屋根板５も５ａ、５ａ’、５ａ”で構成されていて、基本ユニットは背面板３、側面板２ａ、２ｂ、床面版４ａ、屋根板５ａからなるボックス体とし、これに側面板２ａ’、２ａ”、２ｂ’、２ｂ”と床面版４ａ’、４ａ”と屋根板５も５ａ、５ａ’、５ａ”からなる補助ユニットを継ぎ足すことで、内部高さ約２ｍ、内部幅員約１．５ｍ、内部奥行き約３ｍの保管庫１としている。この大きさは自動二輪車を並列に２台収納するのに好適な広さである。
【００１７】
ここで、側面板２ａ、２ｂ、底面板４ａおよび屋根板５ａから構成される基本ユニットの一部、側面板２ａ’、２ｂ’、底面板４ａ’および屋根板５ａ’から構成される補助ユニット、および側面板２ａ”、２ｂ”、底面板４ａ”および屋根板５ａ”から構成される補助ユニットは、それぞれ上記と同様、互いに保管庫内の内側よりボルトナットで締結することにより、保管庫１の外部からは解体できない構造としている。上記各補助ユニットの数は好みにより増減し保管庫１の容量を変えることができる。例えば、基本ユニットを１つだけ使って奥行き１ｍの保管庫１を組み立て、貴重な本や絵画を収納することもできるし、枠体の数を２倍にして組み立て、４台の自動二輪車を収納することも可能である。
【００１８】
保管庫１の上部扉６は屋根板５ａ”に、また、下部扉７は底面板４”に、それぞれ蝶番９で開閉自在に取付けられている。また蝶番９はブラインドリベットによって固定されているため、扉が閉まると解体不能となる。
【００１９】
下部扉７を開放した場合、後述のアジャスターボルトまたはアンカーボルトによって保管庫１の底面板４を地平面よりも多少高くすることで、下部扉７は地平面に向かって下方に傾斜する。こうして傾斜を設けることにより、保管物の収納、搬出を容易にすることができる。
【００２０】
上部扉６と下部扉７とは、両扉を閉めた状態で一部が重なる構成とすることが好ましい。この重なった部分に鍵１０を設けてロックすることで１つの鍵１０で保管庫１の開閉を行なうことができる。ただし、盗難防止上、鍵１０を複数装備することも好ましい。
【００２１】
上部扉６は、図２に示すように開放時はガススプリング１１で支えられる構造としている。使用するガススプリング１１としては、上部扉６の開放時に、その重量を十分に支えることができ、閉めるときには、適度の抵抗によって急激に上部扉６が落ちてこないものであれば特に制限はない。
【００２２】
底面板４や下部扉７の保管物と接触する側は、滑り止め防止機能を有する材料で構成することで、搬入、搬出時の自動二輪車等の保管物および搬入者自身の横滑りや滑落、横倒れを防止することができる。このような材料として特に制限はないが、縞鋼板、ドットを付した鋼板があり、また、薄い鋼板等を線状に貼り付けた構成としてもよい。
【００２３】
図４（ａ）に示すように、側板同士はフランジ部８を突き合わせてボルトナットで締結され、また保管庫１内に搬入した自動二輪車等の保管物は、固定手段を用いて固定する。本例では、複数のアイボルト１２により固定できる構成としている。図４（ｂ）に示すように、アイボルト１２はネジ部１３を底面板４や屋根板５、あるいはフランジ部８に設けたネジ孔に固定し、リング部１４に絡めた例えばナイロン製の丈夫な紐やワイヤーによって保管物を固定し、ここへ鍵を掛けておく。こうすることで、仮に保管庫１が破られたとしても、緊縛された保管物を持ち去ることが困難となる。この固定手段により、保管庫１を搬送する際に内部の保管物の傷付きや破損を防ぐことも可能となる。
【００２４】
また、図には明示していないが、アイボルト１２を保管庫１の内面に対し着脱自在とすることで、保管物の搬入、搬出時などにあってはアイボルト１２を外しておくことで操作する人間の脚や腕にアイボルトがぶつかって負傷する等の事故を防止でき、また必要なときのみ保管庫１の内面から突出させることで作業性が向上する。
【００２５】
図５は本発明の保管庫を地面に平行に固定する構成の一例を示す部分断面図である。保管庫１の底面板４を地面と平行に固定するために、アジャスターボルトまたはアンカーボルトを備えていることが好ましい。ここで、アジャスターボル１５はコンクリート基礎１６を打つときに前もって埋設固定しておくものであり、一方アンカーボルト１７は硬化したコンクリート基礎１６にドリルで穴を明け、そこへ打ち込むことによって固定するものである。いずれのボルトを使用した場合も、保管庫１を設置する場合には、底面板４の内部側ナットと外部側ナットの移動によって平面調整と固定を行なうことができる。
【００２６】
また保管庫１内には、通常の倉庫、保管庫に備えられている一般的な機能が備えられていることが好ましい。この例として照明用器具、換気孔、採光用窓、採光拡散用反射板、および棚を挙げることができる。照明用器具としては送電線を引き込む方法もあるが、通常、内部に人がいる時間は少ないため、懐中電灯を扉付近に常備しておくとよい。また、換気孔については、少なくとも二箇所設けることが好ましく、そのうちの一つは底面板４に形成することで保管庫内に雨水等が侵入した場合の排水口も兼ねることができる。二つ目の換気孔は、上記の底面板４に設けた換気孔とほぼ対角となる位置に設ける。そのような位置としては側面板２、背面板５、または上部扉６の上部が考えられる。
【００２７】
次に採光用窓としては上記二つ目の換気孔と兼用することもでき、保管庫１内の比較的上部に設ける。採光用窓周辺に採光拡散用反射板を併設し、保管物に直射日光が当たらないように採光拡散用反射板の角度を調節することが好ましい。
【００２８】
更に本発明の保管庫として、その他様々な変形例を示すことができる。例えば輸送を主目的とする場合には、保管庫を構成する素材として比較的軽量で丈夫なプラスチック類、例えばポリプロピレン、ポリカーボネート、ポリアミドを使用することができる。また、保管物の温度をコントロールするため、上記換気孔に加えて、保管庫１の素材に断熱材を組み合わせたり、場合によっては冷房装置を備えることも可能である。
【図面の簡単な説明】
【００２９】
【図１】本発明の保管庫の外観の一例を示す斜視図
【図２】同保管庫の扉の開放状態の一例を示す斜視図
【図３】同保管庫を斜め上方から見た斜視図
【図４】同保管庫の内部の様子の一例を示す下部半分の概要図
【図５】同保管庫を地面に平行に固定する構成の一例を示す部分断面図
【符号の説明】
【００３０】
１…保管庫、２，２ａ，２ａ’，２ａ” ，２ｂ，２ｂ’，２ｂ”…側面板、３…背面板、４，４ａ，４ａ’，４ａ”…底面板、５，５ａ，５ａ’，５ａ”…屋根板、６…上部扉、７…下部扉、８…フランジ部、９…蝶番、１０…鍵、１１…ガススプリング、１２…アイボルト、１３…ネジ部、１４…リング部、１５…アジャスターボルト、１６…コンクリート基礎、１７…アンカーボルト。
【図１】
2005090166.tif 000003
【図２】
2005090166.tif 000004
【図３】
2005090166.tif 000005
【図４】
2005090166.tif 000006
【図５】
2005090166.tif 000007